(57)【要約】  画素からの光を検出する第１光検出部と第２光検出部を有し、前記第１光検出部が第１表示装置（１）の表示画面に対向する位置であり、前記第２光検出部が前記第１表示装置に隣接するように設けられる第２表示装置（２）の表示画面に対向する位置となるように設けられる光センサ（１０４）と、前記第１表示装置（１）の表示画面に表示される位置調整画像を前記第１光検出部によって検出した結果と、前記第２表示装置（２）の表示画面に表示される位置調整画像を前記第２光検出部によって検出した結果と、前記位置調整画像の表示内容に基づいて、前記第１表示装置（１）の表示画面と前記第２表示装置（２）の表示画面との間の非表示領域の距離を検出する位置検出部とを有する。
2019176045.tif 000002
【特許請求の範囲】
【請求項１】
画素からの光を検出する第１光検出部と第２光検出部を有し、前記第１光検出部が第１表示装置の表示画面に対向する位置であり、前記第２光検出部が前記第１表示装置に隣接するように設けられる第２表示装置の表示画面に対向する位置となるように設けられる光センサと、
前記第１表示装置の表示画面に表示される位置調整画像を前記第１光検出部によって検出した結果と、前記第２表示装置の表示画面に表示される位置調整画像を前記第２光検出部によって検出した結果と、前記位置調整画像の表示内容に基づいて、前記第１表示装置の表示画面と前記第２表示装置の表示画面との間の非表示領域の距離を検出する位置検出部と
を有する表示装置の位置検出装置。
【請求項２】
前記第１光検出部は、第１検出領域と第２検出領域とを有し、前記第２光検出部は、前記第１検出領域と前記第２検出領域とが並ぶ方向と平行となる位置に配置される第３検出領域と第４検出領域とを有し、
前記第１表示装置と前記第２表示装置との対向方向に沿うように前記第１検出領域と第３検出領域が配置されるとともに前記第２領域と前記第４領域が配置され、
前記位置検出部は、前記第１検出領域の検出結果と前記第３検出領域の検出結果から求められる距離と、前記第２検出領域の検出結果と前記第４検出領域の検出結果から求められる距離との関係から、前記非表示領域の距離を検出する
請求項１に記載の位置検出装置。
【請求項３】
前記位置検出部は、前記第１から第４検出領域の少なくともいずれか１つの検出領域の検出範囲が、前記表示画面における複数の画素を含み得る範囲である場合、前記位置調整画像を検出した光の明るさの度合いに基づいて、前記検出した検出領域の位置を求める
請求項２に記載の位置検出装置。
【請求項４】
前記位置検出部は、
前記第１検出領域と前記第２検出領域とが並ぶ方向に対して前記第１表示装置の表示画面の端部に沿う方向が平行方向であり、前記第３検出領域と前記第４検出領域とが並ぶ方向に対して前記第２表示装置の表示画面の端部に沿う方向とが非平行方向である場合に、前記第３検出領域と前記第４検出領域の間のいずれかの位置を前記第２表示装置の表示画面の端部までの距離を求める位置として用いる
請求項２または請求項３に記載の位置検出装置。
【請求項５】
前記位置検出部は、
前記第１検出領域と前記第３検出領域との距離から、
前記第１検出領域から前記第１表示装置の表示画面の端部までの距離と、
前記第３検出領域から前記第２表示装置の表示画面の端部までの距離と、
前記第１表示装置の表示画面側の額部の距離である第１額部距離と前記第２表示装置の表示画面側の額部の距離である第２額部距離と
を除くことで、前記非表示領域の距離を検出する
請求項２から請求項４のうちいずれか１項に記載の位置検出装置。
【請求項６】
前記位置調整画像は、前記表示される表示画面における表示位置が異なる画像または表示サイズが異なる画像が順次表示される画像である
請求項１から請求項５のうちいずれか１項に記載の位置検出装置。
【請求項７】
請求項１から請求項５のうちいずれか１項に記載の位置検出装置を有し、隣接される他の表示装置と自表示装置との位置を検出する表示装置。
【請求項８】
光センサが、画素からの光を検出する第１光検出部と第２光検出部を有し、前記第１光検出部が第１表示装置の表示画面に対向する位置であり、前記第２光検出部が前記第１表示装置に隣接するように設けられる第２表示装置の表示画面に対向する位置となるように設けられ、
位置検出部が、前記第１表示装置の表示画面に表示される位置調整画像を前記第１光検出部によって検出した結果と、前記第２表示装置の表示画面に表示される位置調整画像を前記第２光検出部によって検出した結果と、前記位置調整画像の表示内容に基づいて、前記第１表示装置の表示画面と前記第２表示装置の表示画面との間の非表示領域の距離を検出する
表示装置の位置検出方法。
【発明の詳細な説明】
【技術分野】
【０００１】
本発明は、位置検出装置、表示装置、表示装置の位置検出方法に関する。
【背景技術】
【０００２】
複数台の表示装置を並べて設置し、マルチディスプレイシステムを構築し、これら複数台の表示装置によって１枚の画像を表示する場合がある。この場合、それぞれの表示装置に対して映像信号供給装置から同じ画像を送信し、マルチディスプレイシステムにおいて自表示装置が設置された場所と他の表示装置が設置された場所との関係に基づいて、当該他の各表示装置にある非表示部分に合わせて、１枚の画像から自表示装置が表示するべき領域を切り抜いた画像を自表示装置において拡大縮小表示する。このような処理を各表示装置において行うことで、マルチディスプレイシステム全体で１つの画像を表示することができる。
ここで、表示装置は、表示領域の外周側に額部がある。複数の表示装置を並べて設置すると、隣り合う表示装置との間において、額部では画像を表示することができない。表示装置が持つ表示領域の外周から表示装置の筐体の外周までの距離（額部の幅の距離）は既知である。この距離を考慮して、非表示部分を考慮して拡大縮小時の計算に利用することで、隣接する表示装置どうしの間において、画像のつながりを自然に見えるように表示することが可能となる。【０００３】
しかしながら、複数の表示装置を並べて設置する場合、表示装置の筐体の外周部のゆがみや表示装置間に隙間が空いてしまう事がある。このような場合、ゆがみや隙間に起因する複数の表示装置間の距離は未知である。そのため、ゆがみや隙間に起因する複数の表示装置間の距離によって生じる非表示部分については、拡大縮小時の計算に利用することができない。このため、複数台の表示装置を目視した場合、一枚の画像との差異が生じる。
【先行技術文献】
【特許文献】
【０００４】
【特許文献１】特開２００７−２４０９３６号公報
【発明の概要】
【発明が解決しようとする課題】
【０００５】
解決しようとする問題点は、隣接する表示装置との間における非表示部分の距離を把握する精度が良好ではないという点である。
【課題を解決するための手段】
【０００６】
本発明の一態様は、画素からの光を検出する第１光検出部と第２光検出部を有し、前記第１光検出部が第１表示装置の表示画面に対向する位置であり、前記第２光検出部が前記第１表示装置に隣接するように設けられる第２表示装置の表示画面に対向する位置となるように設けられる光センサと、前記第１表示装置の表示画面に表示される位置調整画像を前記第１光検出部によって検出した結果と、前記第２表示装置の表示画面に表示される位置調整画像を前記第２光検出部によって検出した結果と、前記位置調整画像の表示内容に基づいて、前記第１表示装置の表示画面と前記第２表示装置の表示画面との間の非表示領域の距離を検出する位置検出部とを有する表示装置の位置検出装置である。【０００７】
また、本発明の一態様は、光センサが、画素からの光を検出する第１光検出部と第２光検出部を有し、前記第１光検出部が第１表示装置の表示画面に対向する位置であり、前記第２光検出部が前記第１表示装置に隣接するように設けられる第２表示装置の表示画面に対向する位置となるように設けられ、位置検出部が、前記第１表示装置の表示画面に表示される位置調整画像を前記第１光検出部によって検出した結果と、前記第２表示装置の表示画面に表示される位置調整画像を前記第２光検出部によって検出した結果と、前記位置調整画像の表示内容に基づいて、前記第１表示装置の表示画面と前記第２表示装置の表示画面との間の非表示領域の距離を検出する表示装置の位置検出方法である。
【発明の効果】
【０００８】
本発明によれは、隣接された表示装置同士の間における非表示部分の距離を良好に把握することができる。
【図面の簡単な説明】
【０００９】
【図１】第１実施形態における位置検出装置を適用した表示システムの構成を説明する概略ブロック図である。
【図２】表示システム１０００に映像信号が表示される場合について説明する図である。
【図３】非表示部分となる領域の部分を拡大した図である。
【図４】光検出センサ１０４と各表示装置との関係を説明する図である。
【図５Ａ】光検出部と位置検出用表示パターンとの関係を説明する図である。
【図５Ｂ】光検出部と位置検出用表示パターンとの関係を説明する図である。
【図５Ｃ】光検出部と位置検出用表示パターンとの関係を説明する図である。
【図６】表示装置における水平方向の位置検出について説明する図である。
【図７】表示装置が対向する額部の近傍の表示面に光検出センサ１０４を取り付けた状態を表す図である。
【図８Ａ】２台の表示装置がお互いに平行に設置されていない状態を説明する図である。
【図８Ｂ】２台の表示装置がお互いに平行に設置されていない状態を説明する図である。
【図９】表示装置が対向する額部の近傍の表示面に光検出センサ１０４を取り付けた状態を表す図である。
【図１０】第２実施形態における表示装置１Ａの構成を表すブロック図である。
【図１１】４台の表示装置によって構成される表示システムの配置状態を表す図である。
【図１２】４台の表示装置によって構成される表示システムにおいて位置検出を行う動作について説明するフローチャートである。
【図１３Ａ】光検出部の位置情報を用いて映像信号を表示した場合について説明する図面である。
【図１３Ｂ】光検出部の位置情報を用いて映像信号を表示した場合について説明する図面である。
【図１３Ｃ】光検出部の位置情報を用いて映像信号を表示した場合について説明する図面である。
【図１３Ｄ】光検出部の位置情報を用いて映像信号を表示した場合について説明する図面である。
【図１４】親機である表示装置またはＰＣが行う位置検出の処理について説明するフローチャートである。
【図１５Ａ】４台の表示装置によって表示システムとして構成された場合を表す図である。
【図１５Ｂ】４台の表示装置によって表示システムとして構成された場合を表す図である。
【図１５Ｃ】４台の表示装置によって表示システムとして構成された場合を表す図である。
【図１５Ｄ】４台の表示装置によって表示システムとして構成された場合を表す図である。
【図１５Ｅ】４台の表示装置によって表示システムとして構成された場合を表す図である。
【図１６】第３の実施形態における位置検出装置６００の構成を示す図である。
【発明を実施するための形態】
【００１０】
以下、本発明の実施形態を説明する。
図１は、第１実施形態における位置検出装置を適用した表示システムの構成を説明する概略ブロック図である。この実施形態において、表示システムは、複数の表示装置が隣接するように並べられ、これらの複数の表示装置の表示画面のそれぞれを用いて１つの映像信号を表示する表示システムであり、例えば、マルチディスプレイシステムである。
【００１１】
この図において、表示システム１０００は、映像表示装置１と映像表示装置２と光検出センサ１０４とを有する。
映像表示装置１と映像表示装置２は、映像表示装置の表示画面の長手方向または短手方向のいずれか一方の方向に沿って隣接され、これらの２つの表示画面によって、１つ映像信号を表示することが可能である。この実施形態において、表示システム１０００は、２台の表示装置を有する場合について説明するが、縦方向（例えば短手方向）にＮ台（Ｎは２以上の自然数）、横方向（例えば縦方向）にＭ台（Ｍ）は２以上の自然数）となるように、縦方向と横方向のそれぞれに複数台となるようにし、Ｎ×Ｍ台の表示装置を隣接することで表示システムを構成するようにしてもよい。
また、この実施形態においては、表示装置１の表示画面の短手方向に表示装置２が隣接するように配置される。これにより、表示システム１０００は、縦に２台、横に１台の表示装置が並べられ、この２つの表示画面を利用して１つの映像信号を表示することができる。例えば、１つの映像信号を表示する際に、表示装置が配列された方向に映像信号を分割し、分割された上方側の画面に相当する映像信号を表示装置１の画面サイズに対応するように拡大または縮小して表示装置１の画面に表示し、分割された下方側の画面に相当する映像信号を表示装置２の画面サイズに対応するように拡大または縮小して表示装置２の画面に表示する。これにより、表示装置１と表示装置２とによって１つの映像信号を表示することができる。
【００１２】
光検出センサ１０４は、表示システム１０００における表示パネルの画素からの光を検出する光検出部を複数有する。この複数の光検出部のうち、第１光検出部が第１表示装置の表示画面に対向する位置であり、第２光検出部が第２表示装置の表示画面に対向する位置となるように設けられる。光検出センサ１０４は、光を検出した検出結果を光センサ検出信号１１５として、表示装置１のＣＰＵ１０３に供給する。
【００１３】
映像表示装置１は、映像処理回路１０１と、液晶表示パネル１０２と、中央処理装置（以下、ＣＰＵとも称する）１０３と、保存メモリ１０５とを有する。
映像処理回路１０１は、外部から供給される映像信号１１１を入力する。この映像信号は、コンテンツとなるデータを出力する装置であればよく、例えば、コンピュータや映像再生装置等がある。映像処理回路１０１は、映像信号を液晶パネル１０２に出力することで、映像信号を液晶パネル１０２に表示させる。
映像処理回路１０１は、入力される映像信号１１１に対し、ＣＰＵ１０３からの制御に基づいて加工処理を行い、加工処理された後の映像信号を液晶パネル映像信号１１４として液晶パネル１０２に出力する。この加工処理としては、例えば、映像信号１１１を液晶パネル１０２で表示するための液晶パネル映像信号１１４に変換する処理がある。映像処理回路１０１は、液晶駆動回路としての機能を有しており、液晶パネル映像信号に従って、液晶パネル２１１を駆動させることが可能であり、これにより、液晶パネル映像信号に応じた画像を液晶表示パネル２１１に表示させることができる。
【００１４】
液晶パネル１０２は、映像処理回路１０１から出力される駆動信号に応じて各画素の素子を駆動することで映像信号に応じた画像を表示する。
【００１５】
ＣＰＵ１０３は、光検出センサ１０４から供給される光センサ検出信号１１５を入力する。
ＣＰＵ１０３は、第１表示装置の表示画面に表示される位置調整画像を第１光検出部によって検出した結果と、第２表示装置の表示画面に表示される位置調整画像を第２光検出部によって検出した結果と、位置調整画像の表示内容に基づいて、第１表示装置の表示画面と第２表示装置の表示画面との間の非表示領域の距離を検出する位置検出機能を有する。
また、ＣＰＵ１０３は、映像処理回路１０１を制御するための信号である映像処理回路制御信号１１３を映像処理回路１０１に出力することで、映像処理回路１０１を制御する。
また、ＣＰＵ１０３は、映像表示装置間制御信号１１２をＣＰＵ２０３に出力する。これにより、ＣＰＵ１０３は、ＣＰＵ２０３を制御することが可能となっている。
【００１６】
保存メモリ１０５は、ＣＰＵ１０３からの指示に応じて各種データを記憶する機能と、記憶されたデータをＣＰＵ１０３からの指示に応じて読み出してＣＰＵ１０３に供給する機能を有する。
この保存メモリ１０５は、例えば、揮発性のメモリまたは不揮発性のメモリを用いることができ、より具体的には、ＨＤＤ（ハードディスク）やＳＲＡＭ（Ｓｔａｔｉｃ  ＲＡＭ）等を用いることができる。
【００１７】
映像表示装置２は、基本的には映像表示装置１と同様の構成を有している。ここでは、相違する構成について説明し、同様の構成については説明を省略する。
映像表示装置２において、映像処理回路２０１は、映像信号２１１を入力する。この映像信号２１１は、映像信号１１１と同じ映像信号であってもよい。言い換えると、１つの映像信号が映像処理回路１０１に対して映像信号１１１として入力され、映像処理回路２０１に対して映像信号２１１として入力される。
映像処理回路２０１は、液晶パネル映像信号２１４を液晶パネル２０２に出力する。
ＣＰＵ２０３は、ＣＰＵ１０３から出力される映像表示装置間制御信号１１２を入力し、この映像表示装置間制御信号１１２に基づいて、映像処理回路２０１に制御信号を出力する。ＣＰＵ２０３は、この映像表示装置間制御信号１１２を用いることで、後述する位置検出用表示パターンの表示等の各種処理をＣＰＵ１０３からの指示に応じて実行することができる。
ＣＰＵ２０３は、映像処理回路２１０を制御するための信号である映像処理回路制御信号２１３を出力する。
【００１８】
上述のＣＰＵ１０３、ＣＰＵ２０３は、専用の電子回路で構成されてもよい。また、ＣＰＵ１０３、ＣＰＵ２０３は、Ａ／Ｄ変換部とＤ／Ａ変換部を含んで構成されるようにしてもよい。例えば、光検出センサ１０４から得られる電気信号がアナログ信号である場合、ＣＰＵ１０３、ＣＰＵ２０３は、このアナログ信号をデジタル信号にＡ／Ｄ変換部によって変換し、得られたデジタル信号を信号処理するようにしてもよい。
【００１９】
図２は、表示システム１０００に映像信号が表示される場合について説明する図である。
この図において、背景４００は、表示装置１と表示装置２が設置された場合において、表示装置１と表示装置２の表示画面側を見た場合に、表示装置１と表示装置２の背面側に見える景色である。
表示装置１と表示装置２は縦方向に並ぶようにして隣接される。
表示装置１の液晶表示パネル１０２の外周に沿って額部１０６が設けられている。また、表示装置２の液晶表示パネル２０２の外周に沿って額部２０６が設けられている。ここで、額部１０６と額部２０６は、表示装置１と表示装置２とが対向する部位において、対向する位置となっている。具体的には、額部１０６のうち液晶パネル１０２の下部側に対応する額部１０６と、額部２０６のうち液晶パネル２０２の上部側に対応する額部２０６とが対向するように配置されている。さらに、ここでは、額部１０６と額部２０６とにおいて、液晶パネル１０２（または液晶パネル２０２）の表示画面側の面が、液晶パネル１０２と液晶パネル２０２とに挟まるような位置にある。
【００２０】
この図においては、映像信号が表示される際の画面の上端側から下端側に対して斜線が表示される場合には、表示装置１の液晶パネル１０２の上端側から表示装置２の液晶パネルの下端側に向かうようにして斜線が表示される。この場合、斜線は、額部１０６と額部２０６の部分において非表示となっている。この非表示となっている部分（符号４０１）についてさらに説明する。
【００２１】
図３は、図２において非表示部分となる領域の部分を拡大した図である。
額部１０６や額部２０６によって非表示となることを考慮せずに、映像信号を分割して表示した場合には、直線４１０ａと直線４１０ｂとに示すように、お互いの直線が延長線上に並ぶようには表示されず、水平方向に異なる位置にずれて表示されてしまう。
次に、額部１０６や額部２０６によって非表示となることを考慮し、額部１０６と額部２０６の距離とに基づいて映像信号を分割及び加工して表示した場合であっても、直線４１１ａと直線４１１ｂに示すように、直線４１０ａと直線４１０ｂとの関係よりはずれの量が少ないが、直線４１１ａと直線４１１ｂとがお互いの直線が延長線上に並ぶようには表示されず、水平方向に異なる位置にずれて表示されることがある。これは、表示装置１と表示装置２とが対向する部位において生じる隙間が原因である。非表示部分の一部である額部１０６や額部２０６の寸法については、製造する段階において、既知であるが、隙間については、予め把握することができない。
【００２２】
本実施形態では、このような隙間を考慮して映像信号を表示することで、直線４１２に示すように、表示パネル１０２と表示パネル２０２に映像信号が表示された際に、液晶パネル１０２に表示された直線と液晶パネル２０２に表示された
直線がお互いに直線上にある関係となるように、表示装置１の液晶パネル１０２と表示装置２の液晶パネル２０２が対向する端部が並ぶ方向（ここでは水平方向）におけるずれを低減し、直線４１２に示すように理想的な状態で表示する。なお、この図において、直線４１２の一部は、非表示部分においては実際には表示されないが、ずれがないことを理解しやすくするために、非表示部分においても図示している。
また、上述のずれは、表示装置１と表示装置２が垂直方向（縦方向）に配置された場合において説明しているが、表示装置１と表示装置２とが水平方向（横方向）に配置される場合においても、額部１０６と額部２０６との間に隙間が生じる場合においても、垂直方向にずれが生じる。
【００２３】
図４は、光検出センサ１０４と各表示装置との関係を説明する図である。この図においては、図２における非表示部分（例えば符号４０１に示す部分）に近傍に、光検出センサ１０４が取り付けされた場合について図示されている。
光検出センサ１０４は、光を検出可能な領域が複数設けられている。ここでは、光検出センサ１０４は、光検出部１０４１、光検出部１０４２、光検出部１０４３、光検出部１０４４の４つが、光を検出可能な領域として設けられている場合を一例として説明する。
光検出センサ１０４は、表示装置１の液晶パネル１０２と表示装置２の液晶パネル２０２のそれぞれからの光を受光するように取り付けられる。ここでは、光検出センサ１０４は、液晶パネル１０２と液晶パネル２０２とを跨ぐように取り付けされる。
ここでは、光検出部１０４１と光検出部１０４２が、液晶パネル１０２の表示画面に対向する位置であって、光検出部１０４３と光検出部１０４４が、液晶パネル２０２の表示画面に対向する位置となるようにして取り付けされる。
ここで、光検出部１０４１と光検出部１０４２との距離（ＳｅｎｓＸ）と、光検出部１０４３と光検出部１０４４との距離は、それぞれ予め決められているため、それぞれ既知である。光検出部１０４３と光検出部１０４４との距離は、距離ＳｅｎｓＸと同じであってもよい。また、光検出部１０４１と光検出部１０４３との距離と、光検出部１０４２と光検出部１０４４との距離（ＳｅｎｓＹ）についても、予め決められているため、既知である。光検出部１０４１と光検出部１０４３との距離は、距離ＳｅｎｓＹと同じであってもよい。
【００２４】
光検出部１０４１と光検出部１０４２が配置される方向と、光検出部１０４３と光検出部１０４３とが並ぶ方向は、平行となる位置に配置されるか、ほぼ平行と見なせる程度の位置関係に配置される。
また、光検出部１０４１と光検出部１０４３は、表示装置１と表示装置２との対向方向（例えば、垂直方向）に沿うように表示装置１、表示装置２に対して取り付けられるとともに、光検出部１０４２と光検出部１０４４についても、表示装置１と表示装置２との対向方向（例えば、垂直方向）に沿うように、表示装置１、表示装置２に対して取り付けられる。
【００２５】
光検出部１０４１と光検出部１０４２は、それぞれ、液晶パネル１０２からの光を検出する。光検出部１０４３と光検出部１０４４は、それぞれ、液晶パネル２０２からの光を検出する。
【００２６】
この４つの光検出部１０４１、光検出部１０４２、光検出部１０４３、光検出部１０４４は、物理的に独立した検出素子を用いることができる。また、これら光検出部としては、ＣＣＤ（固体撮像素子）のように、１つのセンサに設けられた複数の画素によって映像（液晶パネル）からの光を検出するものを用いることができ、この場合、複数の画素のうち、特定の画素（光検出部１０４１、光検出部１０４２、光検出部１０４３、光検出部１０４４に対応する位置の画素）を用いるようにしてもよい。
【００２７】
ここでは、映像表示部（液晶パネル）と各光検出部分との距離（ＳｅｎｓＺ）がそれぞれ既知とすることで、光検出部分間の距離を求める。
【００２８】
光検出センサ１０４は、額部１０６と額部２０６と液晶パネル１０２の一部と液晶パネル２０２の一部とを含むように距離ＳｅｎｓＹが設定される。ここでは、例えば距離ＳｅｎｓＸと距離ＳｅｎｓＹは、それぞれ１５ｃｍ程度に設定することができる。距離ＳｅｎｓＸと距離ＳｅｎｓＹは、同じ距離であってもよいし、異なる距離であってもよい。
【００２９】
次に、この図における符号４０２に示す部分の近傍について図面を用いてさらに説明する。
図５は、光検出部と位置検出用表示パターンとの関係を説明する図である。図５Ａにおいて、位置検出用表示パターンは、光検出センサ１０４を用いて各表示装置のお互いの位置調整を行う際に表示される映像信号である。また、この位置検出用表示パターンは、ＣＰＵ１０３が位置検出用表示パターンを表示させる指示を映像処理回路１０１に対して出力することで、映像処理回路１０１が液晶パネル１０２に位置検出用表示パターンを表示させる。また、この位置検出用表示パターンは、ＣＰＵ２０３が位置検出用表示パターンを表示させる指示を映像処理回路２０１に対して出力することで、映像処理回路２０１が液晶パネル２０２に位置検出用表示パターンを表示させる。
【００３０】
映像処理回路２０１は、位置検出用表示パターンを表示する位置やサイズを順次変化させて液晶パネル２０２に表示する。ここでは、映像処理回路２０１は、位置検出用表示パターンの表示範囲（表示サイズ）を縮小させながら、光検出部１０４３が明るさ検出するか否かに基づいて、光検出部１０４３が液晶パネル２０２に設置されている位置を検出する。例えば、ＣＰＵ２０３は、光検出センサ１０４から得られる検出結果のうち、光検出部１０４３の検出結果を参照し、光検出部１０４３が光を検出しているか否かを判定する。ここでは、位置検出用表示パターンが光検出部１０４３に対向する位置に表示されている場合、ＣＰＵ２０３は、光検出部１０４３から光を検出していることを表す検出結果を得ることができ、位置検出用表示パターンが光検出部１０４３に対向する位置に表示されていない場合には、光検出部１０４３から光を検出していることを表す検出結果を得ることができず、光検出部１０４３から光を検出していないことを表す検出結果が得られる。
ＣＰＵ２０３は、この検出結果に基づいて、光検出部１０４３が光を検出している場合には、映像処理回路２０１に対し、位置検出用表示パターンの表示領域のサイズが小さくなるように変更するよう指示をする。これに応じて、映像処理回路２０１は、位置検出用表示パターンのサイズを小さくして液晶パネル２０２表示させる。ここでは、位置検出用表示パターンが光検出部１０４３によって検出されなければ、光検出部１０４３によって光を検出できるように位置検出用表示パターンの表示位置を変更する。そして、位置検出用表示パターンのサイズが所定のサイズに到達した場合に、その位置検出用表示パターンが表示された液晶パネル２０１の画素の位置が、光検出部１０４３の位置として検出することができる。ここでは、表示装置１あるいは表示装置２に対する光検出部の垂直方向における位置を検出することが主な目的であるため、光検出部によって明るさを検出できたか否かに応じて、位置検出用表示パターンの垂直方向の位置や垂直方向における表示サイズを変更することが望ましい。
【００３１】
図５Ａにおいては、液晶パネル２０１のうち光検出部１０４３に対向する位置に位置検出用表示パターン４１０が表示されているため、光検出部１０４３は、光を検出する。ＣＰＵ２０３は、この検出結果に基づいて、位置検出用表示パターンのサイズを小さくするように映像処理回路２０１に対して指示する。例えば、ＣＰＵ２０３は、位置検出用表示パターンの表示領域を表示する液晶パネル２０１の画面上に表示する画素（１つまたは複数の画素）を指定する。映像処理回路２０１は、この指定された画素に対して位置検出用表示パターンを表示させる。
【００３２】
このようにして、ＣＰＵ２０３は、位置検出用表示パターンの表示サイズが所定のサイズになるまで、位置検出用表示パターンのサイズや液晶パネル２０１上における表示位置を変更する（図５Ｂ、図５Ｃ）。
そして、位置検出用表示パターンのサイズが所定のサイズになった場合に、ＣＰＵ２０３は、位置検出用表示パターンの表示中心位置から位置検出用表示パターンのうち液晶パネル２０１の外周（液晶パネル２０１の端部）までの距離（ＳｅｎｓＤ）を求めることが出来る。ここでは、ＣＰＵ２０３は、位置検出用表示パターンの表示中心位置から、光検出センサ１０４を設ける対象の額部２０６に対向する液晶パネル２０１の端部までの距離ＳｅｎｓＤを求めることができる。この距離ＳｅｎｓＤを求めることで、表示装置１、あるいは表示装置２の垂直方向（縦方向）における光検出部の位置を検出することができる。
【００３３】
次に、光検出センサ１０４を表示装置１、表示装置２に対して設置した状態において、光検出部の検出できる範囲が、表示画素１つ程度かそれ以下である場合（場合その１）と複数の表示画素を含む場合（場合その２）のそれぞれについて以下に説明する。
【００３４】
（場合その１）
光検出センサ１０４の各光検出部の検出可能な範囲が、表示画素１つ程度の範囲であるか、それ以下である場合、位置検出用表示パターンのサイズは、表示画素１つ程度であるサイズとし、この位置検出用表示パターンのサイズを変更せずに、液晶パネル上に表示する位置を縦方向や横方向に移動させることによって、光検出部が光を検出できた際の画素の位置を、光検出部の位置として検出する。ここでは、光検出部の位置は、表示画素の明るさで特定する。例えば、光検出部と位置検出用表示パターンが表示された１つの画素とが対向する位置である場合には、光検出部によって光が検出されるため、その画素の位置を光検出部の位置として検出することができる。
【００３５】
（場合その２）
光検出部の検出できる範囲が、複数の表示画素を含む場合、すなわち、光検出部の光を検出できる範囲のサイズが隣接する複数の画素の範囲を含むことができるサイズである場合、下記の（ａ）又は（ｂ）のいずれかを実行する。
（ａ）位置検出用表示パターンとして、画素１つの程度が点灯する位置検出用表示パターンを用い、その位置検出用表示パターンを液晶パネルの表示画面上において縦方向または横方向に移動させることによって、光検出部が光を検出できた際の画素の位置を光検出部の位置として検出する。ここでは、光検出部が検出する光の明るさが最も明るくなる画素を、光検出部の位置として検出する。
（ｂ）位置検出用表示パターンとして、隣接する複数の画素が点灯する位置検出用表示パターンを用い、この位置検出用表示パターンを縦方向や横方向に移動させること、または位置検出用表示パターンのサイズを変更することの少なくともいずれか一方を行い、光検出部によって光を検出できた際に位置検出用表示パターンが表示された位置を、検出された光の明るさで特定する。光の明るさを検出できる画素の位置をそれぞれ特定することで、光検出部の位置を特定することができる。例えば、位置検出用表示パターンの位置を変更したとしても、光検出部によって光の明るさが一定以上検出されたそれぞれの位置に基づいて、例えば、画素の中心位置を求めることで光検出部の位置を検出することができる。
また、場合その２において、例えば、位置検出用表示パターンが画素１つ程度を点灯させる位置検出用表示パターンである場合、その位置検出用表示パターンを縦方向や横方向に移動させることにより、光検出部による検出値の変化が十分に得られる場合には、上述の（ａ）の処理によって得られる結果を用いる。一方、
そうでない場合には、上述の（ｂ）の処理によって得られる結果を用いる。
【００３６】
ＣＰＵ２０３は、光検出部の位置が検出されると、非表示部分の距離について求めることができる。
例えば、光検出センサ１０４１と光検出部１０４３との間の距離は既知であるため、ＣＰＵ２０３は、光検出センサ１０４１と光検出部１０４３との間の距離から、光検出部１０４３が検出した位置検出用表示パターンの表示中心位置から液晶パネル２０１の外周（端部）までの長さ（距離（ＳｅｎｓＤ２））と、光検出センサ１０４１が検出した位置検出用表示パターンの表示中心位置から液晶パネル１０１の外周（端部）までの長さ（距離ＳｅｎｓＤ１）との長さを引くことで、光検出センサ１０４１と光検出部１０４３との間における非表示部分の距離を求めることができる。さらに、ＣＰＵ２０３は、非表示部分の距離から、額部１０６の幅と額部２０６の幅の分を引くと、非表示部分における隙間の距離を求めることができる。
【００３７】
次に、図６を用いて表示装置における水平方向の位置検出について説明する。
上述した位置検出用表示パターンを表示した際には、垂直方向における位置を検出するだけでなく、水平方向における光検出部の位置を検出する際にも用いることができる。また、この位置検出用表示パターンは、垂直方向だけでなく、水平方向における位置についても、位置検出用表示パターンを表示する際にはＣＰＵ２０３（ＣＰＵ１０３）から指定していることから、既知である。
そのため、ＣＰＵ２０３（ＣＰＵ１０３）は、水平方向における位置検出用表示パターンの位置の変更と水平方向における位置検出用表示パターンのサイズの変更との少なくともいずれか一方を行い、位置検出用表示パターンのサイズが所定のサイズになるまで光検出部による明るさの検出を行う。そして、位置検出用表示パターンが所定のサイズになった場合には、その位置検出用表示パターンに基づいて検出された光検出部の位置から、水平方向における液晶パネル２０１（液晶パネル１０１）の端部までの距離（Ｓｃｒｅｅｎ１Ｘ、Ｓｃｒｅｅｎ２Ｘ）を求めることで、光検出部の水平方向における位置を求めることができる。
ここでは、ＣＰＵ１０３は、位置検出用表示パターン４１４の表示位置や表示サイズを変更することで、光検出部１０４１の位置を検出する。ＣＰＵ２０３は、位置検出用表示パターン４１３の表示位置や表示サイズを変更することで、光検出部１０４３の位置を検出する。
上述した垂直方向における光検出部の位置の検出と水平方向における光検出部の位置の検出は、表示装置１と表示装置２のそれぞれについて行う。
【００３８】
次に、表示装置１と表示装置２とはお互いに平行に設置されているかの検出手順について説明する。
光検出センサ１０４は、表示装置１と表示装置２に対して取り付けた際に、光検出部が２台の表示装置の接触部分（対向する辺の方向）に対し垂直に設置されていることで、光検出部から液晶パネルの外周の端部までの長さを検出することができる。そのため、液晶パネルの表示面に２点の光検出部を設置し、表示装置どうしが平行に設置されているか確認する必要がある。
【００３９】
図７は、２台の表示装置（表示装置１、表示装置２）がお互いに平行に設置され、表示装置１と表示装置２とが対向する額部（額部１０６、額部２０６）の近傍の表示面において、表示装置１と表示装置２との対応する辺の方向に対して垂直となるように光検出センサ１０４を取り付けた状態を表す図である。このように、表示装置１と表示装置２とが、対向する部分においてお互いに平行になるように設置されることが好ましい。しかし、設置環境によっては、必ずしも平行にできない場合も生じ得る。ここでは、２台の表示装置がお互いに平行になるよう設置されたか否かを確認する場合について説明する。
【００４０】
図８は、２台の表示装置がお互いに平行に設置されていない状態を説明する図である。図８Ａにおいて、光検出部１０４３から液晶パネル２０２の端部（額部２０６に対向する部位）までの距離ＳｅｎｓＤ３と、光検出部１０４４から液晶パネル２０２の端部（額部２０６に対向する部位）までの距離ＳｅｎｓＤ４とが一致しているため、光検出部１０４３と光検出部１０４４とが並ぶ方向が、液晶パネル２０２の端部の長さ方向と平行であることが分かる。
一方、光検出部１０４１から液晶パネル１０２の端部（額部１０６に対向する部位）までの距離ＳｅｎｓＤ１と、光検出部１０４２から液晶パネル１０２の端部（額部１０６に対向する部位）までの距離ＳｅｎｓＤ２とが一致していないため、光検出部１０４１と光検出部１０４２とが並ぶ方向が、液晶パネル１０２の端部の長さ方向に対して平行ではないことが分かる。ここでは、額部２０６に対して平行である線４２０に対して、額部１０６が傾いていることからも、額部２０６と額部１０６が平行ではないことが分かる。
このため、親機として設定された表示装置の液晶パネルに対して設けられた２２つの光検出部が並ぶ方向が、当該液晶パネルの端部の長さ方向に対して平行に設置されるように調整する。その上で、子機として設定された表示装置については、図８Ｂに示すように、２箇所の光検出部の位置から表示面の端までの長さ中点とする。ここでは、距離ＳｅｎｓＤ１は、距離ＳｅｎｓＤ２よりも短い。ここでは、光検出センサ１０４１と光検出センサ１０４２との中点（符号４２１）から、液晶パネル１０２の端部までの距離を検出し、この距離を用いる。
なお、後述する実施形態では、PCと接続している場合優先順位は無いが平行状態にセンサが設置できない方に中点を適用する。
【００４１】
なお、光検出部１０４３と光検出部１０４４とが並ぶ方向に対して液晶パネル２０２の端部に沿う方向が平行方向であり、光検出部１０４１と光検出部１０４２とが並ぶ方向に対して液晶パネル１０２の端部に沿う方向とが非平行方向である場合には、中点を利用することができるが、光検出部１０４１と光検出部１０４２の間のいずれかの位置を適用し、液晶パネル１０２の端部までの距離を求める位置として用いることができる。ここでは、光検出センサ１０４１と光検出センサ１０４２との中点を用いる方が、隙間の距離の誤差が少ない点において好ましい。
【００４２】
次に、光検出センサ１０４１と光検出センサ１０４２とが並ぶ方向に対して液晶パネル１０２の端部の長さ方向が平行でなく、かつ、光検出センサ１０４３と光検出センサ１０４４とが並ぶ方向に対して液晶パネル２０２の端部の長さ方向が平行でない場合について説明する。
図９は、光検出センサ１０４１と光検出センサ１０４２とが並ぶ方向に対して液晶パネル１０２の端部の長さ方向が平行でなく、かつ、光検出センサ１０４３と光検出センサ１０４４とが並ぶ方向に対して液晶パネル２０２の端部の長さ方向が平行でない場合を表す図である。すなわち、２台の表示装置が対向する辺の方向に対して光検出センサ１０４が垂直に設置されていない場合である。
この場合、光検出センサ１０４２から液晶パネル１０２の端部までの距離SensD5と、光検出センサ１０４１から液晶パネル１０２の端部までの距離SensD6とが一致していないため、光検出センサ１０４１と光検出センサ１０４２とが並ぶ方向に対して液晶パネル１０２の端部の長さ方向が平行でないことが分かる。
また、光検出センサ１０４３から液晶パネル２０２の端部までの距離SensD7と、光検出センサ１０４４から液晶パネル２０２の端部までの距離SensD8とが一致していないため、光検出センサ１０４３と光検出センサ１０４４とが並ぶ方向に対して液晶パネル１０２の端部の長さ方向が平行でないことが分かる。
ここでは、距離SensD5と距離SensD6の長さの差分と距離SensD7と距離SensD8の長さの差分が一致する場合には、２台の映像表示装置がお互いに平行に設置されていることが分かる。このような場合には、２台の表示装置に対する光検出センサ１０４の設置位置を、液晶パネルの端部の長さ方向に対して平行となるように調整し、平行に設置されたことを確認する。
一方、距離SensD5と距離SensD6の長さの差分と距離SensD7と距離SensD8の長さの差分が一致しない場合、２台の映像表示装置が平行に設置されていないことが分かる。この場合、２台の表示装置のうち、どちらか一方の表示装置の位置と光検出センサ１０４とが平行になるように、光検出センサ１０４の位置を調整し、上述した中点からの距離を求める。
【００４３】
そして、２台の映像表示装置に対する光検出センサ１０４の位置を確定させた後で、液晶パネルの端部までの長さを求める。
光検出部から液晶パネルの端部までの長さは下記の式より算出する。
光検出部から液晶パネルの端部までの長さ＝液晶パネルの端部を基準として位置検出用表示パターンの中心座標の位置×表示画素の大きさ
ここで、各光検出部間の距離（光検出部１０４１と光検出部１０４３との距離、光検出部１０４２と光検出部１０４４との距離）は既知であり、２画面分の表示面の端部までの長さを、光検出部間の距離から引くことで、表示装置の外周のゆがみや接合部に発生している隙間の長さを測定することができる。
そして、同一の映像信号を分割して表示する条件において、上記より算出される距離を用いて、分割位置を決め、分割された画像を拡大または縮小させて表示する。これにより、斜め線等を表示したときのズレを軽減することが可能になる。
【００４４】
この測定は、親機側となる表示装置にセンサを固定させ、子機側となる表示との距離を測定することでも実現可能だが、表示面を塞ぐことで表示範囲が減ってしまう。また、表示面の裏側で距離を測定することでも実現可能だが、背面と表示面のズレが発生することが考慮できないため、表示面を測定することが望ましい。
【００４５】
図１０は、第２実施形態における表示装置１Ａの構成を表すブロック図である。
ここで、表示装置１Ａと表示装置２Ａは、上述した第１の実施形態における表示装置１と表示装置２に共通する機能を有する。ここでは、共通する機能についてはその説明を省略し、異なる機能について説明する。
この第２実施形態において、光検出センサ３０２は、光検出センサ１０４と同じ機能を有するが、表示装置に接続されるのではなく、コンピュータ（ＰＣ）３０１に接続される。光検出センサ３０２は、検出結果を光センサ検出信号３１１としてＰＣ３０２に出力する。
ＰＣ３０１は、光検出センサ３０２から、光センサ検出信号３１１を取得する機能を有する。また、ＰＣ３０１は、ＣＰＵ１０３Ａに対して映像表示装置制御信号３１２を出力することで、ＣＰＵ１０３Ａを制御する。また、ＰＣ３０１は、ＣＰＵ２０３Ａに対して映像表示装置制御信号３１３を出力することで、ＣＰＵ２０３Ａを制御する。
第１の実施形態においては、表示装置１または表示装置２のいずれかが親機となり、残りの表示装置が子機となり、位置検出を行うが、この第２の実施形態においては、ＰＣ３０１によって制御されるため、親機や子機という設定を行う必要は必ずしも無くてもよい。
【００４６】
次に、４台の表示装置によって構成される表示システムにおいて位置検出を行う場合について説明する。
図１１は、４台の表示装置によって構成される表示システムの配置状態を表す図である。ここでは、縦に２台、横に２台の表示装置が配置される場合であって、
表示装置１Ｂが左上、表示装置２Ｂが右上、表示装置３Ｂを左下、表示装置４Ｂを右下に設置された場合を説明する。ここでは、表示装置１Ｂの下方に表示装置３Ｂが隣接され、表示装置１Ｂの右側に表示装置２Ｂが隣接され、表示装置２Ｂと表示装置３Ｂに対して表示装置４が隣接するように設置される。
【００４７】
図１２は、４台の表示装置によって構成される表示システムにおいて位置検出を行う動作について説明するフローチャートである。
まず、複数ある表示装置のうち、表示装置２Ｂと表示装置４Ｂとの間を跨ぐようにして光検出センサ１０４を設置する（ステップＳ１０１）。そして、光検出センサ１０４の検出結果に基づいて位置検出を行う（ステップＳ１０２）。この位置検出は、第１の実施形態において説明したように、光検出センサ１０４１、光検出センサ１０４２、光検出センサ１０４３、光検出センサ１０４４のそれぞれについての、液晶パネルにおける位置の検出である。例えば、表示装置２Ｂの液晶パネルにおける光検出センサ１０４１、光検出センサ１０４２の位置と、表示装置４Ｂの液晶パネルにおける光検出センサ１０４３、光検出センサ１０４４の位置が検出される。
また、ここでは、表示装置１Ｂが親機である場合には、表示装置１ＢのＣＰＵが、表示装置２Ｂと表示装置４Ｂに対して表示装置間制御信号を出力することで、表示装置２Ｂと表示装置４Ｂのそれぞれに対し、位置検出用表示パターンを表示させ、光検出センサ１０４の検出結果を取得する。そして、表示装置１ＢのＣＰＵは、位置検出用表示パターンが所定のサイズになったときの光検出センサの検出結果に基づいて、光検出センサ１０４の各光検出部の位置を検出する。
【００４８】
表示装置１ＢのＣＰＵは、検出された位置を表す情報を、表示装置１Ｂ内の保存メモリに記憶する（ステップＳ１０３）。なお、第２実施形態のように、ＰＣを用いる場合には、ＰＣが、ＰＣ内の保存メモリに検出された位置を表す情報を記憶する。
【００４９】
次に、表示装置１Ｂと表示装置２Ｂとの間を跨ぐようにして光検出センサ１０４を設置する（ステップＳ１０４）。そして、表示装置１ＢのＣＰＵが、表示装置１Ｂと表示装置２Ｂに対してそれぞれ位置検出用表示パターンを表示させ、光検出センサ１０４の検出結果に基づいて位置検出を行う（ステップＳ１０５）。ここでは、例えば、表示装置１Ｂの液晶パネルにおける光検出センサ１０４１、光検出センサ１０４２の位置と、表示装置２Ｂの液晶パネルにおける光検出センサ１０４３、光検出センサ１０４４の位置が検出される。そして、表示装置１ＢのＣＰＵが、検出された位置を表す情報を、表示装置１Ｂ内の保存メモリに記憶する（ステップＳ１０６）。なお、第２実施形態のように、ＰＣを用いる場合には、ＰＣが、ＰＣ内の保存メモリに検出された位置を表す情報を記憶する。
【００５０】
次に、表示装置２Ｂと表示装置４Ｂとの間を跨ぐようにして光検出センサ１０４を設置する（ステップＳ１０７）。そして、表示装置１ＢのＣＰＵが、表示装置２Ｂと表示装置４Ｂに対してそれぞれ位置検出用表示パターンを表示させ、光検出センサ１０４の検出結果に基づいて位置検出を行う（ステップＳ１０８）。ここでは、例えば、表示装置２Ｂの液晶パネルにおける光検出センサ１０４１、光検出センサ１０４２の位置と、表示装置４Ｂの液晶パネルにおける光検出センサ１０４３、光検出センサ１０４４の位置が検出される。そして、表示装置１ＢのＣＰＵが、検出された位置を表す情報を、表示装置１Ｂ内の保存メモリに記憶する（ステップＳ１０９）。なお、第２実施形態のように、ＰＣを用いる場合には、ＰＣが、ＰＣ内の保存メモリに検出された位置を表す情報を記憶する。
【００５１】
次に、表示装置１ＢのＣＰＵは、映像信号を４つの画面に対応するように分割をし、分割された画面を４台の表示装置のうち対応する表示装置に割り当てる。そして、表示装置１ＢのＣＰＵは、保存メモリに記憶された、それぞれの位置情報に基づいて、非表示部分の長さを算出し、一番短い長さを用いて拡大または縮小率を算出する（ステップＳ１１０）。
次に、表示装置１ＢのＣＰＵは、各光検出部の位置から表示装置どうしの間におけるズレを取得し、映像信号の表示位置の調整値を算出する（ステップＳ１１１）。
次に、表示装置１ＢのＣＰＵは、拡大・縮小率と表示位置の調整値を表示装置１Ｂと表示装置２Ｂと表示装置３Ｂと表示装置４Ｂのそれぞれの映像処理回路に対して送信する。これらの情報を取得した映像処理回路は、この拡大・縮小率と表示位置の調整値を元に、映像信号のうち割り当てされた分割画面に対して、拡大または縮小し、表示位置の調整値に従い、分割画面のうち表示させる範囲を決定し、液晶パネルに画像を表示させる（ステップＳ１１２）。
【００５２】
図１３は、上述した４台の表示装置について光検出部の位置情報を用いて映像信号を表示した場合について説明する図面である。図１３Ａは、表示する対象の映像信号を表す図である。このような映像信号を、４台の表示装置に表示するように単純に４分割して表示システムに表示した場合を、図１３Ｂに示す。この場合、分割された画像どうしの間には、各表示装置の額部や隙間が非表示部分５００として存在する。この場合、非表示部分５００において、分割画面の表示内容にズレがあるため、非表示部分５００を境目として映像信号のつながりに違和感が生じる。ここでは、図１３Ｃに示すように、非表示部分５００があったとしても、分割画面の表示内容のズレを低減することで、非表示部分５００を境目として映像信号のつながりの違和感を低減することができる。
【００５３】
ここでは、図１３Ｄに示すように、例えば、右下に配置された表示装置の配置位置が、右上の表示装置に対して隙間が生じた状態で設置された場合には、右下の表示装置は、他の表示装置に対してずれた位置に配置されることになる。この場合、上述した位置検出の処理を行い、隙間を考慮した非表示部分の距離を考慮した上で、分割画面の表示領域の拡大率や縮小率、あるいは表示範囲を決定する。ここでは、隙間に相当する距離５０１の分だけ、分割画面の下方側から上側に移動させる（符号５０２）。これにより、右下の表示装置における分割画面について、水平方向における表示位置が、左下の表示装置における分割画面の水平方向における表示位置と一致するようになる。これにより、隙間が生じていたとしても、表示された映像信号に違和感を低下させることができる。
【００５４】
図１４は、親機である表示装置またはＰＣが行う位置検出の処理について説明するフローチャートである。ここでは、親機である表示装置が実行するものとして説明するが、ＰＣが同様の手順にしたがって実行することも可能である。
まず、表示装置のＣＰＵは、光検出センサ１０４の位置検出処理が開始されると（ステップＳ２０１）、光検出センサ１０４が取り付けられた表示装置に対して、位置検出用表示パターンを表示するよう指示する。この指示を受けた表示装置では、液晶パネルに位置検出用表示パターンが表示される（ステップＳ２０２）。
親機の表示装置のＣＰＵは、このときの光検出センサ１０４からの検出結果を取得し、光検出センサ１０４によって位置検出用表示パターンの光を検出できたか否かを判定する（ステップＳ２０３）。ここで、光を検出できていない場合には、親機の表示装置のＣＰＵＣＰＵは、位置検出用表示パターンを液晶パネルの画面上において移動させるように、制御対象の表示装置に対して指示する（ステップＳ２０７）。これにより、制御対象の表示装置の画面上において、位置検出用表示パターンが表示される位置が変更され、その後、ステップＳ２０３に移行する。
【００５５】
ステップＳ２０３において、光検出センサ１０４によって光を検出できている場合には、親機の表示装置のＣＰＵは、位置検出用表示パターンの表示サイズが所定のサイズ（例えば、最小サイズ）であるか否かを判定する（ステップＳ２０４）。位置検出用表示パターンの表示サイズが最小サイズではない場合、親機の表示装置のＣＰＵは、位置検出用表示パターンの表示サイズを現在よりも縮小して表示させる（ステップＳ２０８）。これにより、制御対象の表示装置の画面上において、位置検出用表示パターンが表示される表示サイズが縮小され、その後、ステップＳ２０３に移行する。
【００５６】
次に、親機の表示装置のＣＰＵは、位置検出用表示パターンの表示サイズが最小となった場合、ステップＳ２０５の処理に移行する。ここでは、各光検出部の垂直方向における画面端（液晶パネルの端部）までの長さが、それぞれ一致するか否かを判定する（ステップＳ２０５）。一致する場合には、親機の表示装置のＣＰＵは、その光検出センサ１０４の取り付け位置におけるセンサ位置の検出処理を終了する。
一方、各光検出部の垂直方向における画面端（液晶パネルの端部）までの長さが一致しない場合には、親機の表示装置のＣＰＵは、親機に対向して取り付けられた２つの光検出部について、額部の辺に対する垂直方向における画面端までの長さがそれぞれ一致しており、子機に対向して取り付けられた２つの光検出部について、額部の辺に対する垂直方向における画面端までの長さがそれぞれ一致していない状態であるか否かを判定する（ステップＳ２０９）。
【００５７】
親機の表示装置のＣＰＵは、親機に対向して取り付けられた２つの光検出部について、額部の辺に対する垂直方向における画面端までの長さがそれぞれ一致しており、子機に対向して取り付けられた２つの光検出部について、額部の辺に対する垂直方向における画面端までの長さがそれぞれ一致していない状態である場合には、ステップＳ２０６に移行する。一方、親機の表示装置のＣＰＵは、親機に対向して取り付けられた２つの光検出部について、額部の辺に対する垂直方向における画面端までの長さがそれぞれ一致しており、子機に対向して取り付けられた２つの光検出部について、額部の辺に対する垂直方向における画面端までの長さがそれぞれ一致していない状態ではない場合には、光検出センサ１０４の取り付け位置を調整させるためのメッセージを親機の表示装置の液晶パネルに一定時間だけ表示する（ステップＳ２１０）。このメッセージに基づいて、ユーザが、光検出センサ１０４の位置を調整する。その後、ステップＳ２０３から処理が実行される。
【００５８】
図１５は、４台の表示装置によって表示システムとして構成された場合を表す図である。ここでは、図１５Ａに示すように、表示装置１Ｂが左上、表示装置２Ｂが右上、表示装置３Ｂを左下、表示装置４Ｂを右下に設置される。そして、光検出センサ１０４が、表示装置１Ｂと表示装置３Ｂに跨がるように取り付けられている。
図１５Ｂに示すように光検出センサ１０４が、表示装置１Ｂと表示装置３Ｂに跨がるように取り付けられた後、いずれかの表示装置に位置検出用表示パターンを表示させる。そして、光検出センサ１０４のいずれかの光検出部が光を検出できた場合には、位置検出用表示パターンが表示された表示装置に対して光検出部が取り付けられていると検出することができる。
例えば、図１５Ｂに示すように、表示装置１Ｂに位置検出用表示パターン４１５を表示した場合には、光検出センサ１０４によって光が検出され、図１５Ｃに示すように、表示装置３Ｂに位置検出用表示パターン４１６を表示した場合には、光検出センサ１０４によって光が検出される。これにより、表示装置１Ｂと表示装置３Ｂとに跨がるように光検出センサ１０４が取り付けられていることを検出することができる。
【００５９】
そして、表示装置１Ｂと表示装置３Ｂにおける位置検出を行う。そして、図１５Ｄに示すように、光検出センサ１０４を表示装置２Ｂと表示装置４Ｂに跨がるように取り付けた後、表示装置２Ｂに位置検出用表示パターン４１７を表示して位置検出を行う。その後、図１５Ｅに示すように表示装置４Ｂに位置検出用表示パターン４１８を表示して表示装置４Ｂにおける位置検出を行う。
これらの結果を用いて、各表示装置の垂直方向における設置位置の調整を行う。
その後、表示装置１Ｂと表示装置２Ｂに跨がるように光検出センサ１０４を取り付け、位置検出を行い、表示装置３Ｂと表示装置４Ｂに跨がるように光検出センサ１０４を取り付け、位置検出を行う。この位置検出結果を用いて、各表示装置の水平方向における設置位置を調整する。
【００６０】
次に、第３の実施形態について説明する。
図１６は、第３の実施形態における位置検出装置６００の構成を示す図である。
位置検出装置６００は、光センサ６１０と位置検出部６２０と有する。
光センサ６１０は、画素からの光を検出する第１光検出部と第２光検出部を有し、第１光検出部が第１表示装置の表示画面に対向する位置であり、第２光検出部が前記第１表示装置に隣接するように設けられる第２表示装置の表示画面に対向する位置となるように設けられる。
位置検出部６２０は、第１表示装置の表示画面に表示される位置調整画像を第１光検出部によって検出した結果と、第２表示装置の表示画面に表示される位置調整画像を第２光検出部によって検出した結果と、位置調整画像の表示内容に基づいて、第１表示装置の表示画面と第２表示装置の表示画面との間の非表示領域の距離を検出する。
このような位置検出装置６００は、例えば、表示装置やＰＣ等に接続して利用することが可能である。特に、マルチディスプレイシステムにおける各表示装置どうしの位置関係を検出ることができる。これにより、検出された位置に基づいて、表示装置の配置された位置を調整したり、各表示装置に対して表示させる映像信号を調整して表示することができる。
【００６１】
複数台の表示装置を並べて設置した状態で、１枚の画像を表示する場合に、設置時の隙間をセンサにて測定することで、拡大縮小補正を行い、一枚の画像との差異を軽減する
【００６２】
また、図１における表示装置におけるＣＰＵや映像処理回路の機能を実現するためのプログラムをコンピュータ読み取り可能な記録媒体に記録して、この記録媒体に記録されたプログラムをコンピュータシステムに読み込ませ、実行することにより位置検出を行ってもよい。なお、ここでいう「コンピュータシステム」とは、ＯＳや周辺機器等のハードウェアを含むものとする。
【００６３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、サーバやクライアントとなるコンピュータシステム内部の揮発性メモリのように、一定時間プログラムを保持しているものを含むものとする。また上記プログラムは、前述した機能の一部を実現するためのものであっても良く、さらに前述した機能をコンピュータシステムにすでに記録されているプログラムとの組み合わせで実現できるものであってもよい。また、上記のプログラムを所定のサーバに記憶させておき、他の装置からの要求に応じて、当該プログラムを通信回線を介して配信（ダウンロード等）させるようにしてもよい。
【００６４】
以上、この発明の実施形態について図面を参照して詳述してきたが、具体的な構成はこの実施形態に限られるものではなく、この発明の要旨を逸脱しない範囲の設計等も含まれる。
【符号の説明】
【００６５】
１、２、１Ａ、２Ａ、１Ｂ、２Ｂ、３Ｂ、４Ｂ  表示装置
１０１、２０１  映像処理回路
１０２、２０２  液晶表示パネル
１０３、２０３、１０３Ａ、２０３Ａ  ＣＰＵ（中央処理装置）
１０４、３０２  光検出センサ
１０５、２０５  保存メモリ
１１１、１１２  映像信号
１１５  光センサ検出信号
１０６、２０６  額部
３０１  ＰＣ（コンピュータ）
４１０、４１１、４１２、４１３、４１４、４１５、４１６、４１７  位置検出用表示パターン
１０４１、１０４２、１０４３、１０４４  光検出部
６００  位置検出装置
６１０  光センサ
６２０  位置検出部
【図１】
2019176045.tif 000003
【図２】
2019176045.tif 000004
【図３】
2019176045.tif 000005
【図４】
2019176045.tif 000006
【図５Ａ】
2019176045.tif 000007
【図５Ｂ】
2019176045.tif 000008
【図５Ｃ】
2019176045.tif 000009
【図６】
2019176045.tif 000010
【図７】
2019176045.tif 000011
【図８Ａ】
2019176045.tif 000012
【図８Ｂ】
2019176045.tif 000013
【図９】
2019176045.tif 000014
【図１０】
2019176045.tif 000015
【図１１】
2019176045.tif 000016
【図１２】
2019176045.tif 000017
【図１３Ａ】
2019176045.tif 000018
【図１３Ｂ】
2019176045.tif 000019
【図１３Ｃ】
2019176045.tif 000020
【図１３Ｄ】
2019176045.tif 000021
【図１４】
2019176045.tif 000022
【図１５Ａ】
2019176045.tif 000023
【図１５Ｂ】
2019176045.tif 000024
【図１５Ｃ】
2019176045.tif 000025
【図１５Ｄ】
2019176045.tif 000026
【図１５Ｅ】
2019176045.tif 000027
【図１６】
2019176045.tif 000028
【国際調査報告】
2019176045.tif 000029
2019176045.tif 000030
2019176045.tif 000031
2019176045.tif 000032